(57)【要約】【課題】  表示板の構造が複雑にならず、効率良く表示板を照明できると共に、良好に発電することができる表示装置および時計を提供する。【解決手段】  時字９が設けられた可視光透過性を有する文字板５と、この文字板５の下面に配置され、発光部１１および可視光透過部１２が平面的に設けられた発光パネル４と、この発光パネル４の下面に配置され、発光パネル４の可視光透過部１２を透過した外部光によって発電するソーラーパネル４と、を備えている。従って、発光パネル４の発光部１１で発光した光が文字板５を透過し、この透過した光で時字９を照明することができ、また外部光が文字板５および発光パネル４の可視光透過部１２を透過し、この透過した光をソーラーパネル３に照射させることができるので、ソーラーパネル３で良好に発電することができる。【選択図】        図２
2015052520.tif 000002
【特許請求の範囲】
【請求項１】
情報表示部が設けられ、可視光透過性を有する表示板と、
この表示板の裏面側に配置され、第１のシートおよび前記第１のシートの表面の一部に形成された発光部が設けられた発光パネルと、
この発光パネルの裏面側に配置され、第２シートおよび前記第２のシートの表面に形成され、発電部が設けられた前記パネルの前記第１のシートを透過した光によって発電するソーラーパネルと、
を備えていることを特徴とする表示装置。
【請求項２】
請求項１に記載の表示装置において、前記発光パネルは前記第１のシートの裏面に、第１電極、ＥＬ発光層、および前記第１電極より可視光透過率の低い第２電極をその順で積層してなり、前記可視光透過部は前記第１のシートのみで形成されていることを特徴とする表示装置。
【請求項３】
請求項１または請求項２に記載の表示装置において、前記第２のシートは、前記第１のシートとほぼ同じ大きさに形成され、前記発電部は、前記第２のシートの表面に、第１電極、発電層、および前記第１電極よりも可視光透過率の高い第２電極をその順で積層してなる発電部が設けられていることを特徴とする表示装置。
【請求項４】
請求項１〜請求項３のいずれかに記載の表示装置において、前記発光パネルの前記発光部は格子状に形成されていることを特徴とする表示装置。
【請求項５】
請求項４に記載の表示装置において、前記第1のシートの中央部における前記格子状の前記発光部の格子の幅は、前記第1のシートの外周部における前記格子状の前記発光部の格子の幅より細いことを特徴とする表示装置。
【請求項６】
請求項４に記載の表示装置において、前記発光部は、一点を中心に放射状に延びた第１の領域と、前記第１の領域とほぼ直交し、前記一点を中心とする同心円状又は螺旋状に形成された第２の領域と、を含み、
前記一点から外周に向かうにしたがって、前記第１の領域の幅及び前記第２の領域の幅は太くなることを特徴とする表示装置。
【請求項７】
請求項１〜請求項３のいずれかに記載の表示装置において、前記発光パネルの前記発光部は前記第１のシートの中央部に設けられ、前記ソーラーパネルの前記発電部は、前記第２のシートの前記発光部と対応しない位置に設けられていることを特徴とする表示装置。
【請求項８】
請求項１〜請求項３のいずれかに記載の表示装置において、前記発光パネルの前記発光部は前記第１のシートの外周部に設けられ、前記ソーラーパネルの前記発電部は、前記第２のシートの前記発光部と対応しない位置に設けられていることを特徴とする表示装置。
【請求項９】
請求項１〜請求項３のいずれかに記載の表示装置において、
前記表示板の最外周部の上部にリング状の見切り部を備え、
前記発光部は、前記第１のシートの最外周部且つ前記見切り部と対応する位置に設けられ、前記表示板と前記見切り部との間には隙間が空いていることを特徴とする表示装置。
【請求項１０】
請求項７〜請求項９のいずれかに記載の表示装置において、前記発光パネルの前記第１のシートと前記ソーラーパネルの前記第２のシートとは、互いに対向した状態で配置されており、前記発光パネルの前記発光部と前記ソーラーパネルの前記発電部とは、同一平面上に配置されていることを特徴とする表示装置。
【請求項１１】
請求項１〜請求項３のいずれかに記載の表示装置において、前記発光パネルの前記発光部は、前記表示板の前記情報表示部に対応して設けられていることを特徴とする表示装置。
【請求項１２】
請求項１〜請求項１１のいずれかに記載の表示装置を備えていることを特徴とする時計。
【発明の詳細な説明】
【技術分野】
【０００１】
この発明は、メータなどの計測器や時計などの電子機器に用いられる表示装置およびそれを備えた時計に関する。
【背景技術】
【０００２】
例えば、時計においては、特許文献１に記載されているように、表示板である文字板の下面にソーラーパネルと照明装置とを同一平面上に設けた構成のものが知られている。
【先行技術文献】
【特許文献】
【０００３】
【特許文献１】特開２００３−１５６５７４号公報
【０００４】
この種の時計は、ソーラーパネルと照明装置とを同一平面上に設けるために、文字板の中央部に可視光透過部を設け、この可視光透過部の下側にソーラーパネルを配置し、このソーラーパネルの外周にリング状の照明装置を配置し、このリング状の照明装置で文字板の外周を下側から照明するように構成されている。
【発明の概要】
【発明が解決しようとする課題】
【０００５】
しかしながら、このような時計では、文字板の中央部に可視光透過部が円形状に形成され、この文字板の外周に不透過部が形成されている構成であるから、ソーラーパネルと照明装置との位置合わせ行いにくい。このため、製作が面倒であるという問題がある。
【０００６】
この発明が解決しようとする課題は、ソーラーパネルと照明装置との位置合わせを行い易く製作が簡単である表示装置および時計を提供することである。
【課題を解決するための手段】
【０００７】
この発明は、情報表示部が設けられ、可視光透過性を有する表示板と、この表示板の裏面側に配置され、第１のシートおよび前記第１のシートの表面の一部に形成された発光部が設けられた発光パネルと、この発光パネルの裏面側に配置され、第２シートおよび前記第２のシートの表面に形成され、発電部が設けられた前記パネルの前記第１のシートを透過した光によって発電するソーラーパネルと、を備えていることを特徴とする表示装置である。
【発明の効果】
【０００８】
この発明によれば、発光パネルの発光部で発光した光が表示板を透過し、この透過した光で目盛部を照明することができ、また外部光が表示板および発光パネルの可視光透過部を透過し、この透過した光をソーラーパネルに照射させることができるので、ソーラーパネルで良好に発電することができる。これにより、ソーラーパネルと照明装置との位置合わせを行い易く製作が簡単で、効率良く表示板を照明することができると共に、良好に発電することができる。
【図面の簡単な説明】
【０００９】
【図１】この発明を指針式の腕時計に適用した第１実施形態における時計モジュールを示した拡大断面図である。
【図２】図１に示された時計モジュールにおける表示装置を分解して示した拡大斜視図である。
【図３】図２に示された表示装置の発光パネルを示した拡大斜視図である。
【図４】図２に示された表示装置の要部を示した拡大断面図である。
【図５】表示装置の発光パネルの変形例１を示した拡大平面図である。
【図６】表示装置の発光パネルの変形例１を示した拡大平面図である。
【図７】この発明を指針式の腕時計に適用した第２実施形態における時計モジュールの表示装置を分解して示した拡大斜視図である。
【図８】図７に示された表示装置の要部を示した拡大断面図である。
【図９】この発明を指針式の腕時計に適用した第３実施形態における時計モジュールの表示装置を分解して示した拡大斜視図である。
【図１０】図９に示された表示装置の要部を示した拡大断面図である。
【図１１】この発明を指針式の腕時計に適用した時計モジュールの表示装置の要部を示した拡大断面図である。
【図１２】この発明を指針式の腕時計に適用した第４実施形態における時計モジュールの表示装置を分解して示した拡大斜視図である。
【図１３】図１２に示された表示装置の要部を示した拡大断面図である。
【発明を実施するための形態】
【００１０】
（第１実施形態）
以下、図１〜図４を参照して、この発明を指針式の腕時計に適用した第１実施形態について説明する。
この指針式の腕時計は、図１に示すように、時計モジュール１を備えている。この時計モジュール１は、腕時計ケース（図示せず）内に配置されるものであり、ハウジング２および表示装置１０を有している。
【００１１】
このハウジング２の上面には、図１に示すように、表示装置１０のソーラーパネル３が配置されており、このソーラーパネル３の上面には、発光パネル４が配置されている。この発光パネル４の上面には、表示板である文字板５が配置されている。また、ハウジング２の内部には、時計ムーブメント６が設けられている。この時計ムーブメント６は、指針軸７を回転させることにより、時針８ａ、分針８ｂ、秒針８ｃなどの指針８を運針させるように構成されている。
【００１２】
この場合、文字板５の中心部には、図１および図２に示すように、指針軸７が挿入する貫通孔５ａが設けられており、発光パネル４の中心部にも、指針軸７が挿入する貫通孔４ａが、文字板５の貫通孔５ａと同一軸上に対応して設けられている。同様に、ソーラーパネル３の中心部にも、指針軸７が挿入する貫通孔３ａが、発光パネル４の貫通孔４ａおよび文字板５の貫通孔５ａに対して同一軸上に対応して設けられている。
【００１３】
これにより、時計ムーブメント６は、図１に示すように、指針軸７がソーラーパネル３の貫通孔３ａ、発光パネル４の貫通孔４ａ、および文字板５の貫通孔５ａに下側から挿入して、文字板５の上方に突出し、この突出した指針軸７の上端部に時針８ａ、分針８ｂ、秒針８ｃなどの指針８が取り付けられるように構成されている。
【００１４】
また、この時計ムーブメント６は、図１に示すように、指針軸７を回転させることにより、時針８ａ、分針８ｂ、秒針８ｃなどの指針８が文字板５の上方で運針して、時刻を指示表示するように構成されている。これらソーラーパネル３、発光パネル４、文字板５、および時計ムーブメント６の指針８によって、表示装置１０が構成されている。
【００１５】
ところで、文字板５は、図２に示すように、可視光線透過率の高い透明または半透明の可視光透過性を有するパネルからなり、ほぼ円形状に形成されている。この文字板５の上面における周縁部には、目盛部（情報表示部）である時字９が所定間隔で設けられている。発光パネル４は、文字板５の下面側を照明するものであり、光を発光する発光部１１と光を透過する可視光透過部１２とを備えている。すなわち、この発光パネル４は、図４に示すように、可視光線を透過するために透明に見える第１のシート１３を有している。
【００１６】
発光部１１は、図２〜図４に示すように、第１のシート１３の下面に可視光線透過率の高い透明な第１電極１４、ＥＬ発光層１５、および第１電極１４より可視光線透過率の低い第２電極１６をその順で上から積層した構成になっている。この場合、第１電極１４はＩＴＯ（Indium Tin Oxide）などの透明な電極である。第２電極１６はアルミニウムなどの金属からなる電極である。
【００１７】
また、ＥＬ発光層１５は、図２〜図４に示すように、第１電極１４と第２電極１６との間に電位差が生じた際に、蛍光（ルミネッセンス）を発するものである。このような発光部１１は、絶縁膜（図示せず）で覆われている。第１のシート１３の下における発光部１１が設けられていない領域は空間であるため、可視光透過部１２は第１のシート１３のみで形成されていることとなり、光を透過するように構成されている。
【００１８】
この発光パネル４は、図２および図３に示すように、発光部１１と可視光透過部１２とのうち、発光部１１が格子状に形成されている。すなわち、発光部１１は格子状に連続して形成されており、可視光透過部１２は格子状の発光部１１で囲われた状態でそれぞれ形成されている。これにより、この発光パネル４は、格子状の発光部１１が発光した際に、その光が文字板５を透過し、この透過した光で文字板５の上面側を照明するように構成されている。
【００１９】
ソーラーパネル３は、図２〜図４に示すように、発光パネル４の第１のシート１３とほぼ同じ大きさに形成された第２のシート１７を有している。この第２のシート１７の上面には、発電部１８が全域に亘って設けられている。この発電部１８は、第２のシート１７の上面に第１電極１９、発電層２０、および第１電極１９より可視光線透過率の高い第２電極２１をその順で下側から積層した構成になっている。
【００２０】
この場合、第１電極１９は、アルミニウムなどの金属からなる電極である。第２電極２１はＩＴＯ（Indium Tin Oxide）などの透明な電極である。発電層２０は、アモルファスシリコン（ａ−Ｓｉ）からなり、光が照射されると、起電力を発生するものである。この発電部１８も、絶縁膜（図示せず）によって覆われている。また、この発電部１８は、複数のソーラーセル（図示せず）に分割され、これら複数のソーラーセルが直列に接続されるように構成されている。
【００２１】
次に、このような腕時計における表示装置１０の作用について説明する。
暗い所で時刻を確認する場合には、図示しないスイッチを操作して、発光パネル４の発光部１１を発光させる。このときには、発光部１１の第１電極１４と第２電極１６とに電圧が印加され、その電位差によってＥＬ発光層１５が発光する。このＥＬ発光層１５で発光した光は、透明な第１電極１４および第１のシート１３を通して、発光パネル４の上方に放出される。
【００２２】
この場合、発光部１１は第１のシート１３の下面に格子状に形成されているので、可視光透過部１２を除いて格子状に発光することにより、発光パネル４のほぼ全域が発光しているように見える。このように発光した光が発光パネル４の上面から放出され、この放出された光は、文字板５の下面に照射される。この照射された光は文字板５を透過し、この透過した光によって文字板５上の時字９および指針８が照明される。これにより、指針８で指示された時字９によって時刻を知ることができる。
【００２３】
また、明るい所で使用する際には、外部光が文字板５の上面に照射される。この文字板５に照射された外部光は、文字板５を透過して発光パネル４の上面に照射される。この照射された光は、発光パネル４の第１のシート１３を透過して、発光部１１および可視光透過部１２に照射される。この場合、発光部１１に照射された光は、発光部１１で遮断されるが、可視光透過部１２に照射された光は、そのまま可視光透過部１２を透過してソーラーパネル３に照射される。
【００２４】
このソーラーパネル３に照射された光は、第２電極２１を透過して発電層２０に照射される。すると、この発電層２０が光に反応して起電力を発生する。これにより、ソーラーパネル３は照射された光によって発電する。この発電した電力は、時計モジュール１の充電器（図示せず）に電源として充電される。
【００２５】
このように、この腕時計の表示装置１０によれば、時字９が設けられた可視光透過性を有する文字板５と、この文字板５の下面に配置され、発光部１１および可視光透過部１２が平面的に設けられた発光パネル４と、この発光パネル４の下面に配置され、発光パネル４の可視光透過部１２を透過した外部光によって発電するソーラーパネル４と、を備えていることにより、文字板５の構造が複雑にならず、効率良く文字板５を照明できると共に、良好に発電することができる。
【００２６】
すなわち、この腕時計の表示装置１０では、発光パネル４の発光部１１で発光した光が文字板５を透過し、この透過した光で時字９を照明することができ、また外部光が文字板５および発光パネル４の可視光透過部１２を透過し、この透過した光をソーラーパネル３に照射させることができるので、ソーラーパネル３で良好に発電することができる。これにより、文字板５の構造が複雑にならず、効率良く文字板５を照明することができると共に、ソーラーパネル３で良好に発電することができる。
【００２７】
この場合、発光パネル４は第１のシート１３を有し、発光部１１は、第１のシート１３の下面に透明な第１電極１４、ＥＬ発光層１５、および第２電極１６をその順で積層してなり、可視光透過部１２は第１のシート１３のみで形成されていることにより、第１のシート１３に発光部１１および可視光透過部１２を自由な形状で形成することができる。
【００２８】
このため、このように発光部１１および可視光透過部１２を自由な形状で形成しても、文字板５が可視光透過性を有するので、発光部１１によって効率良く文字板５を照明することができると共に、可視光透過部１２を通して外部光を良好にソーラーパネル３に照射させることができる。
【００２９】
また、ソーラーパネル３は、発光パネル４の第１のシート１３とほぼ同じ大きさに形成された第２のシート１７を有し、この第２のシート１７の上面に、第１電極１９、発電層２０、および透明な第２電極２１をその順で積層してなる発電部１８が設けられていることにより、第２のシート１７に発電部１８を自由な形状で形成することができる。この場合、発電部１８は、発光パネル４の可視光透過部１２に対応して設けられているので、可視光透過部１２を透過した外部光を効率良く発電部１８で受光して発電することができる。
【００３０】
さらに、この腕時計の表示装置１０では、発光パネル４の発光部１１が格子状に配列形成され、可視光透過部１２が格子状の発光部１１で囲われていることにより、発光部１１を発光させた際に、発光パネル４のほぼ全域を発光させることができ、これにより文字板５を良好に照明することができると共に、発光パネル４の全域の点在する可視光透過部１２によって外部光を良好にソーラーパネル３に照射させることができる。
【００３１】
なお、第1実施形態では、発光パネル４の発光部１１がほぼ同一幅の格子状で形成されている例を示した。しかし、この構成に限らず、例えば図５の変形例１に示すように、発光部１１が格子状に形成されている点は同じだが、格子の幅が第1のシート１３の中央部に位置する内周部と第1のシート１３の外周部とで異なるようにしても良い。具体的には、内周部は外光が下面のソーラーパネル２５に届きやすく効率良く発電できるようにするため、発光部１１である格子の幅を細くし、外周部は上面の文字板５の時字９を見やすくさせるため、発光部１１である格子の幅を太くする。
【００３２】
更には、図６の変形例２に示すように、発光部１１は、一点を中心に四方八方へ伸び出た形状、つまり放射状に延びた第１の領域と、第１の領域とほぼ直交し、第１の領域と同じ一点を中心とする同心円状に形成された第２の領域と。からなるようにしても良い。また、同心円状ではなく、螺旋状であっても良い。この場合、中心から外周に向かう程、第１の領域の幅は太くなる。また、中心から外周に向かう程、第２の領域である円の幅は太くなる。
【００３３】
従って、図５の形状による効果と同じく、中心に向かう程、発光部１１の第１の領域の幅及び発光部１１の第２の領域の幅は共に細くなるので、外光が下面のソーラーパネル２５に届きやすくなり、効率良く発電できるようになる。そして、中心から外側に向かう程、発光部１１の第１の領域の幅及び発光部１１の第２の領域の幅は共に太くなるので、上面の文字板５の時字９を見やすくさせることができる。
【００３４】
（第２実施形態）
次に、図７および図８を参照して、この発明を指針式の腕時計に適用した第２実施形態について説明する。なお、図１〜図４に示された第１実施形態と同一部分には同一符号を付して説明する。
この指針式の腕時計は、図７および図８に示すように、表示装置１０のソーラーパネル２５および発光パネル２６が第１実施形態と異なる構成であり、これ以外は第１実施形態と同じ構成になっている。
【００３５】
すなわち、発光パネル２６は、図７および図８に示すように、光を発光する発光部２７と光を透過する可視光透過部２８とを備えている。この発光パネル２６は、第１実施形態と同様、第１のシート１３を有している。この発光部２７も、第１のシート１３の下面に透明な第１電極１４、ＥＬ発光層１５、および第２電極１６をその順で上から積層し、これらの外表面を絶縁膜（図示せず）で覆った構成になっている。可視光透過部２８は第１のシート１３のみで形成され、光を透過するように構成されている。
【００３６】
この発光パネル２６は、図７および図８に示すように、発光部２７が第１のシート１３の中央部に円形状に設けられ、可視光透過部２８が発光部２７の外周に位置する第１のシート１３の個所にリング状に設けられた構成になっている。これにより、この発光パネル２６は、中央部に位置する円形状の発光部２７が発光した際に、その光が文字板５の中央部を透過し、この透過した光で文字板５の上面側を照明するように構成されている。
【００３７】
ソーラーパネル２５は、図７および図８に示すように、発光パネル２６の第１のシート１３とほぼ同じ大きさに形成された第２のシート１７を有している。この第２のシート１７の上面には、発電部２９が発光パネル２６の可視光透過部２８に対応して設けられている。この発電部２９は、第１実施形態と同様、第２のシート１７の上面に第１電極１９、発電層２０、および透明な第２電極２１をその順で下側から積層し、これらの外表面を絶縁膜（図示せず）で覆った構成になっている。
【００３８】
これにより、発光パネル２６の第１のシート１３とソーラーパネル２５の第２のシート１７とは、図７および図８に示すように、互いに上下に対向した状態で配置されている。また、発光パネル２６の発光部２７とソーラーパネル２５の発電部２９とは、ほぼ同一平面上に配置されている。しかし、発光部２７と発電部２９とは同一の厚さとは限らないため、第１のシート１３と発電部２９との間、若しくは、第２のシート１７と発光部２７との間、の少なくとも何れかに隙間が空いていても良い。
【００３９】
すなわち、発光パネル２６の円形状の発光部２７は、図７および図８に示すように、ソーラーパネル２５のリング状の発電部２９の内側に配置される。この場合にも、この発電部２９は、複数のソーラーセル（図示せず）に分割され、これら複数のソーラーセルが直列に接続されるように構成されている。
【００４０】
次に、このような第２実施形態の腕時計における表示装置１０の作用について説明する。
暗い所で時刻を確認する場合には、第１実施形態と同様、発光パネル２６の発光部２７を発光させる。このときには、発光部２６が第１のシート１３の下面における中央部に円形状に形成されているので、発光パネル２６が円形状に発光する。
【００４１】
このように発光した光が発光パネル２６の上面から放出され、この放出された光は、文字板５の中央部分をほぼ円形状に透過し、この中央部分を透過した光によって文字板５上の時字９および指針８が照明される。これにより、指針８で指示された時字９によって時刻を知ることができる。
【００４２】
また、明るい所で使用する際には、第１実施形態と同様、外部光が文字板５の上面に照射され、この照射された外部光が文字板５を透過して発光パネル２６の上面に照射される。この照射された光は、発光パネル２６の第１のシート１３を透過して、発光部２７および可視光透過部２８に照射される。
【００４３】
この場合にも、発光部２７に照射された光は、発光部２７で遮断されるが、可視光透過部２８に照射された光は、そのまま可視光透過部２８を透過してソーラーパネル２５にリング状に照射される。これにより、ソーラーパネル２５の発電層２９が光に反応して起電力を発生するので、ソーラーパネル２５が発電し、この発電した電力が、第１実施形態と同様、時計モジュール１の充電器（図示せず）に電源として充電される。
【００４４】
このように、この第２実施形態の腕時計における表示装置１０によれば、発光パネル２６の発光部２７が第１のシート１３の中央部に円形状に設けられ、可視光透過部２８が発光部２７の外周にリング状に設けられており、ソーラーパネル２５の発電部２９は、第２のシート１７に可視光透過部２８と対応してリング状に設けられているので、第１実施形態と同様、文字板５の構造が複雑にならず、効率良く文字板５を照明できると共に、良好に発電することができる。
【００４５】
すなわち、この腕時計の表示装置１０では、発光パネル２６の発光部２７で発光した光が文字板５の中央部を円形状に透過し、この透過した光で時字９を照明することができ、また外部光が文字板５および発光パネル２６の可視光透過部２８をリング状に透過し、この透過した光をソーラーパネル２５にリング状に照射させることができるので、ソーラーパネル２５のリング状の発電部２９で良好に発電することができる。
【００４６】
この場合、発光パネル２６の第１のシート１３とソーラーパネル２５の第２のシート１７とは、互いに上下に対向した状態で配置されて、発光パネル２６の発光部２７とソーラーパネル２５の発電部２９とがほぼ同一平面上に配置されていることにより、発光パネル２６とソーラーパネル２５との全体の厚みを薄くすることができ、これにより表示装置１０全体の厚みを薄くすることができる。
【００４７】
すなわち、この表示装置１０では、発光パネル２６の円形状の発光部２７がソーラーパネル２５のリング状の発電部２９内に配置されることにより、発光パネル２６の発光部２７とソーラーパネル２５の発電部２９とが重なり合わず、発光パネル２６の発光部２７をソーラーパネル２５の第２のシート１７に接近させることができると共に、ソーラーパネル２５の発電部２９を発光パネル２６の第１のシート１３に接近させることができ、これにより発光パネル２６とソーラーパネル２５との全体の厚みを薄くすることができる。
【００４８】
（第３実施形態）
次に、図９および図１０を参照して、この発明を指針式の腕時計に適用した第３実施形態について説明する。この場合にも、図１〜図４に示された第１実施形態と同一部分に同一符号を付して説明する。
この指針式の腕時計は、図９および図１０に示すように、表示装置１０のソーラーパネル３０および発光パネル３１が第１実施形態と異なる構成であり、これ以外は第１実施形態と同じ構成になっている。
【００４９】
すなわち、発光パネル３１は、図９および図１０に示すように、光を発光する発光部３２と光を透過する可視光透過部３３とを備えている。この発光パネル３１は、第１実施形態と同様、第１のシート１３を有している。この発光部３２も、第１のシート１３の下面に透明な第１電極１４、ＥＬ発光層１５、および第２電極１６をその順で上から積層し、これらを絶縁膜（図示せず）で覆った構成になっている。可視光透過部３３は第１のシート１３のみで形成され、光を透過するように構成されている。
【００５０】
この発光パネル３１は、図９および図１０に示すように、発光部３２が第１のシート１３の中央部を除く外周部にリング状に設けられ、可視光透過部３３が発光部３２の内周に位置する第１のシート１３の個所に円形状に設けられた構成になっている。これにより、この発光パネル３２は、外周部に位置するリング状の発光部３２が発光した際に、その光が文字板５の外周部を透過し、この透過した光で文字板５の上面側を照明するように構成されている。
【００５１】
ソーラーパネル３０は、図９および図１０に示すように、発光パネル３１の第１のシート１３とほぼ同じ大きさに形成された第２のシート１７を有している。この第２のシート１７の上面には、発電部３４が発光パネル３１の可視光透過部３３に対応して円形状に設けられている。この発電部３４は、第１実施形態と同様、第２のシート１７の上面に第１電極１９、発電層２０、および透明な第２電極２１をその順で下側から積層し、これらを絶縁膜（図示せず）で覆った構成になっている。
【００５２】
この場合にも、発光パネル３１の第１のシート１３とソーラーパネル３０の第２のシート１７とは、図９および図１０に示すように、互いに上下に対向した状態で配置されている。また、発光パネル３１の発光部３２とソーラーパネル３０の発電部３４とは、同一平面上に配置されている。すなわち、ソーラーパネル３０の円形状の発電部３４は、図１０に示すように、発光パネル３１のリング状の発光部３２内に配置される。
【００５３】
次に、このような第３実施形態の腕時計における表示装置１０の作用について説明する。
暗い所で時刻を確認する場合には、第１実施形態と同様、発光パネル３１の発光部３２を発光させる。このときには、発光部３２が第１のシート１３の下面における中央部を除く外周部にリング状に形成されているので、発光パネル３１がリング状に発光する。
【００５４】
このように発光した光が発光パネル３１の上面から放出され、この放出された光は、文字板５の中央部分を除く外周部をほぼリング状に透過し、この外周部を透過した光によって文字板５上の時字９および指針８が照明される。これにより、指針８で指示された時字９によって時刻を知ることができる。
【００５５】
また、明るい所で使用する際には、第１実施形態と同様、外部光が文字板５の上面に照射され、この照射された外部光が文字板５を透過して発光パネル３１の上面に照射される。この照射された光は、発光パネル３１の第１のシート１３を透過して、発光部３２および可視光透過部３３に照射される。
【００５６】
この場合にも、発光部３２に照射された光は、発光部３２で遮断されるが、可視光透過部３３に照射された光は、そのまま可視光透過部３３を透過してソーラーパネル３０の中央部に円形状に照射される。これにより、ソーラーパネル３０の発電層３４が光に反応して起電力を発生するので、ソーラーパネル３０が発電し、この発電した電力が、第１実施形態と同様、時計モジュール１の充電器（図示せず）に電源として充電される。
【００５７】
このように、この第３実施形態の腕時計における表示装置１０によれば、発光パネル３１の発光部３２が第１のシート１３の中央部を除く外周部にリング状に設けられ、可視光透過部３３が発光部３２の内周に位置する第１のシート１３の個所に円形状に設けられており、ソーラーパネル３０の発電部３４は、第２のシート１７に可視光透過部３３と対応して円形状に設けられているので、第１実施形態と同様、文字板５の構造が複雑にならず、効率良く文字板５を照明できると共に、良好に発電することができる。
【００５８】
すなわち、この腕時計の表示装置１０では、発光パネル３１の発光部３２で発光した光が文字板５の中央部を除く外周部をリング状に透過し、この透過した光で時字９を照明することができ、また外部光が文字板５および発光パネル３１の可視光透過部３３を円形状に透過し、この透過した光をソーラーパネル３０の中央部に円形状に照射させることができるので、ソーラーパネル３０の円形状の発電部３４で良好に発電することができる。
【００５９】
この場合にも、発光パネル３１の第１のシート１３とソーラーパネル３０の第２のシート１７とは、互いに上下に対向した状態で配置されて、発光パネル３１の発光部３２とソーラーパネル３０の発電部３４とが同一平面上に配置されていることにより、発光パネル３１とソーラーパネル３０との全体の厚みを薄くすることができ、これにより表示装置１０全体の厚みを薄くすることができる。
【００６０】
すなわち、この表示装置１０では、ソーラーパネル３０の円形状の発電部３４が発光パネル３１のリング状の発光部３２内に配置されることにより、発光パネル３１の発光部３２とソーラーパネル３０の発電部３４とが重なり合わず、発光パネル３１の発光部３２をソーラーパネル３０の第２のシート１７に接近させることができると共に、ソーラーパネル３０の発電部３４を発光パネル３１の第１のシート１３に接近させることができ、これにより発光パネル３１とソーラーパネル３０との全体の厚みを薄くすることができる。
【００６１】
なお、図１１に示すように、文字板５の最外周部の上部には、リング状の見切り部40が設けられている。そして、発光パネル３１の発光部３２は、第１のシート１３の最外周部である見切り部４０の下にリング状に設けられる構成でも良い。この場合、文字板５と見切り部４０との間には隙間が空いている。これにより、この発光パネル３２は、最外周部に位置するリング状の発光部３２が発光した際に、その光が文字板５を透過し、文字板５の外周部から内周部の方向へ照射される。従って、文字板５の上面側の時字９をより一層視認し易くすることができる。
【００６２】
（第４実施形態）
次に、図１２および図１３を参照して、この発明を指針式の腕時計に適用した第４実施形態について説明する。この場合にも、図１〜図４に示された第１実施形態と同一部分に同一符号を付して説明する。
この指針式の腕時計は、図１２および図１３に示すように、表示装置１０の発光パネル３５が第１実施形態と異なる構成であり、これ以外は第１実施形態とほぼ同じ構成になっている。
【００６３】
すなわち、発光パネル３５は、図１２および図１３に示すように、光を発光する発光部３６と光を透過する可視光透過部３７とを備えている。この発光パネル３５は、第１実施形態と同様、第１のシート１３を有している。この発光部３６も、第１のシート１３の下面に透明な第１電極１４、ＥＬ発光層１５、および第２電極１６をその順で上から積層し、これらを絶縁膜（図示せず）で覆った構成になっている。
【００６４】
可視光透過部３７は、第１実施形態と同様、第１のシート１３のみで形成され、光を透過するように構成されている。この発光パネル３５は、図１２および図１３に示すように、発光部３６が第１のシート１３の下面に文字板５の時字９と対応して設けられている。これにより、この発光パネル３５は、発光部３２が発光した際に、その光が文字板５を透過し、この透過した光で文字板５の時字９を下側から照明するように構成されている。
【００６５】
この場合、ソーラーパネル３は、第１実施形態と同様、発光パネル３５の第１のシート１３とほぼ同じ大きさに形成された第２のシート１７を有している。この第２のシート１７の上面には、発電部１８が全域に亘って設けられている。この発電部１８は、第２のシート１７の上面に第１電極１９、発電層２０、および透明な第２電極２１をその順で下側から積層し、これらを絶縁膜（図示せず）で覆った構成になっている。
【００６６】
次に、このような第４実施形態の腕時計における表示装置１０の作用について説明する。
暗い所で時刻を確認する場合には、第１実施形態と同様、発光パネル３５の発光部３６を発光させる。このときには、発光部３６が第１のシート１３の下面に文字板５の時字９と対して形成されているので、発光パネル３５が部分的に発光する。
【００６７】
このように発光した光は発光パネル３５の上面から放出され、この放出された光は、文字板５の時字９の周辺を部分的に透過し、この部分的に透過した光によって文字板５上の時字９および指針８が照明される。これにより、指針８で指示された時字９によって時刻を知ることができる。
【００６８】
また、明るい所で使用する際には、第１実施形態と同様、外部光が文字板５の上面に照射され、この照射された外部光が文字板５を透過して発光パネル３５の上面に照射される。この照射された光は、発光パネル３５の第１のシート１３を透過して、発光部３６および可視光透過部３７に照射される。
【００６９】
この場合にも、発光部３６に照射された光は、発光部３６で遮断されるが、可視光透過部３７に照射された光は、そのまま可視光透過部３７を透過してソーラーパネル３のほぼ全域に照射される。これにより、ソーラーパネル３の発電層１８が光に反応して起電力を発生するので、ソーラーパネル３が発電し、この発電した電力が、第１実施形態と同様、時計モジュール１の充電器（図示せず）に電源として充電される。
【００７０】
このように、この第４実施形態の腕時計における表示装置１０によれば、発光パネル３５の発光部３６が第１のシート１３に文字板５の時字９と対応して設けられ、これ以外の個所に可視光透過部３７が設けられており、ソーラーパネル３の発電部１８は、第２のシート１７のほぼ全域に亘って設けられているので、第１実施形態と同様、文字板５の構造が複雑にならず、効率良く文字板５を照明できると共に、良好に発電することができる。
【００７１】
すなわち、この腕時計の表示装置１０では、発光パネル３５の発光部３６で発光した光が文字板５の時字９の周辺を透過し、この透過した光で時字９を照明することができ、また外部光が文字板５および発光パネル３５の可視光透過部３７を透過し、この透過した光をソーラーパネル３のほぼ全域に照射させることができるので、ソーラーパネル３の発電部１８で、第１実施形態よりも大幅に発電することができる。
【００７２】
なお、上述した第１〜第４の各実施形態では、指針式の腕時計に適用した場合について述べたが、必ずしも腕時計である必要はなく、例えばトラベルウオッチ、目覚まし時計、置き時計、掛け時計などの各種の指針式の時計に適用することができる。また、必ずしも時計である必要はなく、メータなどの計測器などにも適用することができる。
【００７３】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７４】
（付記）
請求項１に記載の発明は、情報表示部が設けられ、可視光透過性を有する表示板と、この表示板の裏面側に配置され、第１のシートおよび前記第１のシートの表面の一部に形成された発光部が設けられた発光パネルと、この発光パネルの裏面側に配置され、第２シートおよび前記第２のシートの表面に形成され、発電部が設けられた前記パネルの前記第１のシートを透過した光によって発電するソーラーパネルと、を備えていることを特徴とする表示装置である。
【００７５】
請求項２に記載の発明は、請求項１に記載の表示装置において、前記発光パネルは前記第１のシートの裏面に、第１電極、ＥＬ発光層、および前記第１電極より可視光透過率の低い第２電極をその順で積層してなり、前記可視光透過部は前記第１のシートのみで形成されていることを特徴とする表示装置である。
【００７６】
請求項３に記載の発明は、請求項１または請求項２に記載の表示装置において、前記第２のシートは、前記第１のシートとほぼ同じ大きさに形成され、前記発電部は、前記第２のシートの表面に、第１電極、発電層、および前記第１電極よりも可視光透過率の高い第２電極をその順で積層してなる発電部が設けられていることを特徴とする表示装置である。
【００７７】
請求項４に記載の発明は、請求項１〜請求項３のいずれかに記載の表示装置において、前記発光パネルの前記発光部は格子状に形成されていることを特徴とする表示装置である。
【００７８】
請求項５に記載の発明は、請求項４に記載の表示装置において、前記第1のシートの中央部における前記格子状の前記発光部の格子の幅は、前記第1のシートの外周部における前記格子状の前記発光部の格子の幅より細いことを特徴とする表示装置である。
【００７９】
請求項６に記載の発明は、請求項４に記載の表示装置において、前記発光部は、一点を中心に放射状に延びた第１の領域と、前記第１の領域とほぼ直交し、前記一点を中心とする同心円状又は螺旋状に形成された第２の領域と、を含み、
前記一点から外周に向かうにしたがって、前記第１の領域の幅及び前記第２の領域の幅は太くなることを特徴とする表示装置。
である。
【００８０】
請求項７に記載の発明は、請求項１〜請求項３のいずれかに記載の表示装置において、前記発光パネルの前記発光部は前記第１のシートの中央部に設けられ、前記ソーラーパネルの前記発電部は、前記第２のシートの前記発光部と対応しない位置に設けられていることを特徴とする表示装置である。
【００８１】
請求項８に記載の発明は、請求項１〜請求項３のいずれかに記載の表示装置において、前記発光パネルの前記発光部は前記第１のシートの外周部に設けられ、前記ソーラーパネルの前記発電部は、前記第２のシートの前記発光部と対応しない位置に設けられていることを特徴とする表示装置である。
【００８２】
請求項９に記載の発明は、  請求項１〜請求項３のいずれかに記載の表示装置において、前記表示板の最外周部の上部にリング状の見切り部を備え、前記発光部は、前記第１のシートの最外周部且つ前記見切り部と対応する位置に設けられ、前記表示板と前記見切り部との間には隙間が空いていることを特徴とする表示装置である。
【００８３】
請求項１０に記載の発明は、請求項７〜請求項９のいずれかに記載の表示装置において、前記発光パネルの前記第１のシートと前記ソーラーパネルの前記第２のシートとは、互いに対向した状態で配置されており、前記発光パネルの前記発光部と前記ソーラーパネルの前記発電部とは、同一平面上に配置されていることを特徴とする表示装置である。
【００８４】
請求項１１に記載の発明は、請求項１〜請求項３のいずれかに記載の表示装置において、前記発光パネルの前記発光部は、前記表示板の前記情報表示部に対応して設けられていることを特徴とする表示装置である。
【００８５】
請求項１２に記載の発明は、請求項１〜請求項１１のいずれかに記載の表示装置を備えていることを特徴とする時計である。
【符号の説明】
【００８６】
１  時計モジュール
３、２５、３０  ソーラーパネル
４、２６、３１、３５  発光パネル
５  文字板
６  時計ムーブメント
８  指針
９  時字
１０  表示装置
１１、２７、３２、３６  発光部
１２、２８、３３、３７  可視光透過部
１３  第１のシート
１４  第１電極
１５  発光層
１６  第２電極
１７  第２のシート
１８、２９、３４  発電部
１９  第１電極
２０  発電層
２１  第２電極
【図１】
2015052520.tif 000003
【図２】
2015052520.tif 000004
【図３】
2015052520.tif 000005
【図４】
2015052520.tif 000006
【図５】
2015052520.tif 000007
【図６】
2015052520.tif 000008
【図７】
2015052520.tif 000009
【図８】
2015052520.tif 000010
【図９】
2015052520.tif 000011
【図１０】
2015052520.tif 000012
【図１１】
2015052520.tif 000013
【図１２】
2015052520.tif 000014
【図１３】
2015052520.tif 000015